(57)【要約】【課題】光ディスクにおいてもＨＤＤと同じようなアクセス性能を実現できる記録装置を提供する。【解決手段】ＨＤＤでの最低帯域保障を行うために制定されたＨＤＤ用のデータフォーマットを光ディスク用のフォーマットに変換する。具体的には、再生時間が０．４秒から１．０秒になるような連続した複数のＤＡＵを１つにまとめ、それを再分割し、その再分割した各々を、ＤＶＤで使用されるパックフォーマットに当てはめると共に、ＤＡＵのチェーン情報から、ランダムアクセスを実現するためのＴＭＡＰ情報を生成する。【選択図】図１
2007329861.tif 000002
【特許請求の範囲】
【請求項１】
ＭＰＥＧトランスポートストリームで構成される映像音声データ、並びに、前記映像音声データの位置情報、種類及び記録ブロック間の位置関係を示す情報を具備した記録ブロックを蓄積する第１の蓄積媒体と、
映像音声データを記録するためのフォーマットであって前記第１の蓄積媒体の記録フォーマットとは異なる記録フォーマットを持つ第２の蓄積媒体と、
前記第１の蓄積媒体から連続した前記記録ブロックを読み出し、それらの読み出した複数の記録ブロックを１個にまとめる結合手段と、
前記結合手段により１個にまとめられた複数の記録ブロックを前記第２の蓄積媒体の記録フォーマットに変換する変換手段と、
前記第１の蓄積媒体に蓄積された映像音声データの位置情報、種類及び記録ブロック間の位置関係を示す情報を、前記第２の蓄積媒体の記録フォーマットに適した形で記述する記述手段とを備えた
ことを特徴とする記録装置。
【請求項２】
前記請求項１記載の記録装置において、
前記第２の蓄積媒体の記録フォーマットは、
ＤＶＤ  Ｓｐｅｃｉｆｉｃａｔｉｏｎｓ  ｆｏｒ  Ｒｅｗｒｉｔａｂｌｅ/Ｒｅ−ｒｅｃｏｒｄａｂｌｅ  Ｄｉｓｃｓのフォーマットである
ことを特徴とする記録装置。
【請求項３】
前記請求項１記載の記録装置において、
前記記述手段は、
前記第１の蓄積媒体の位置情報、種類及び前記記録ブロック間の位置関係を示す情報の位置を示す情報を、前記第２の蓄積媒体の記録フォーマットの記録単位の先頭に記述する
ことを特徴とする記録装置。
【請求項４】
前記請求項１記載の記録装置において、
前記結合手段は、
前記第１の蓄積媒体から連続した前記記録ブロックを読み出し、その読み出した複数の記録ブロックを前記第２の蓄積媒体のフォーマットの処理単位と同一又は整数倍でまとめる
ことを特徴とする記録装置。
【請求項５】
前記請求項１記載の記録装置において、
前記結合手段は、
前記第１の蓄積媒体の位置情報、種類及び前記記録ブロック間の位置関係を示す情報の位置を示す情報に基づいて、映像音声データの位置情報を抽出し、
前記抽出された映像音声データの位置情報は、前記第２の蓄積媒体の記録フォーマットの記録単位の先頭パケットに格納される
ことを特徴とする記録装置。
【請求項６】
前記請求項５記載の記録装置において、
先頭パケットは、ＤＶＤ  Ｓｐｅｃｉｆｉｃａｔｉｏｎｓ  ｆｏｒ  Ｒｅｗｒｉｔａｂｌｅ/Ｒｅ−ｒｅｃｏｒｄａｂｌｅ  ＤｉｓｃｓのＲＤＩパックに記録される
ことを特徴とする記録装置。
【請求項７】
前記請求項１記載の記録装置において、
前記第２の蓄積媒体は、データの読み出し、書き込みのためのバッファを有し、
前記結合手段は、前記バッファの容量の整数倍又は整数分の一になるようにデータをまとめ上げる
ことを特徴とする記録装置。
【請求項８】
前記請求項１記載の記録装置において、
前記第２の記録媒体の記録フォーマットでの処理単位の先頭データを、前記記録ブロックの先頭に位置させて、前記記録ブロックを構成する映像音声データが複数の記録ブロックにまたがって存在する頻度を減らす記録フォーマット手段を備えた
ことを特徴とする記録装置。
【発明の詳細な説明】
【技術分野】
【０００１】
本発明は、デジタル放送を記録するハードディスク装置及び光ディスク装置を備えた記録装置の改良に関する。
【背景技術】
【０００２】
近年、ＤＶＤビデオ等に代表されるように、映像及び音声をデジタルで蓄積する機器が普及している。
【０００３】
ＤＶＤビデオは、最大７２０ピクセル×４７８ピクセル、又は最大７２０ピクセル×５７３ピクセルのスタンダードサイズ（以下ＳＤという）の動画データを最大１０．０８Ｍｂｐｓで圧縮し、光ディスクに記録している。記録型ＤＶＤでは、ＤＶＤ  Ｓｐｅｃｉｆｉｃａｔｉｏｎｓ／Ｒｅ−ｒｅｃｏｒｄａｂｌｅ  Ｄｉｓｃｓ規格（以下ＶＲ規格という）で示された方式が普及しており、この規格では、ビデオデータは、ＭＰＥＧ２（ＩＳＯ／ＩＥＣ１３８１８−２）で圧縮され、音声はＭＰＥＧ  ａｕｄｉｏ、Ｄｏｌｂｙ  ＡＣ−３での圧縮や、ＬＰＣＭで記録されており、これらの映像及び音声データは、ＩＳＯ／ＩＥＣ１３８１８−１で規定されたＰｒｏｇｒａｍ  Ｓｔｒｅａｍ形式でまとめられる。
【０００４】
図２は、Ｐｒｏｇｒａｍ  Ｓｔｒｅａｍの構造を示す。前記の映像及び音声データは、エレメンタリストリームと呼ばれ、これらのデータは、各々、任意の大きさに分割される。Ｐｒｏｇｒａｍ  Ｓｔｒｅａｍは、これらの分割されたエレメンタリストリームにＰＥＳ＿ｈｅａｄｅｒを付与してＰｒｏｇｒａｍ  Ｓｔｒｅａｍを構成する。1個のコンテンツは、これらのＰｒｏｇｒａｍ  Ｓｔｒｅａｍが任意数集まって出来ている。ＰＥＳ＿ｈｅａｄｅｒは、０ｘ０００００１のビット列のＳｔａｒｔ＿ｃｏｄｅ＿ｐｒｅｆｉｘで始まり、続いてＳｔｒｅａｍ＿ｉｄが示される。Ｓｔｒｅａｍ＿ｉｄによって映像や音声、その他データの区別が行われる。Ｓｔｒｅａｍ＿ｉｄに続いて、Ｐｒｏｇｒａｍ  Ｓｔｒｅａｍの大きさを示すＰＥＳ＿Ｐａｃｋｔ＿ｌｅｎｇｔｈ、ＰＥＳ＿ｈｅａｄｅｒに含まれる情報を示すｆｌａｇｓとＰＥＳ＿ｈｅａｄｅｒの長さを示すＰＥＳ＿ｈｅａｄｅｒ＿ｄａｔａ＿ｌｅｎｇｔｈと、それに続くヘッダ情報で構成される。ヘッダ情報の中には映像、音声の表示時刻を示すＰｒｅｓｅｎｔａｔｉｏｎ＿ｔｉｍｅ＿ｓｔａｍｐ（以下ＰＴＳ）等が格納されている。音声データ、副映像の場合はＰＥＳヘッダとエレメンタリデータの間にｓｕｂ＿ｓｔｒｅａｍ＿ｉｄを挿入し音声、副映像を区別する。このＰｒｏｇｒａｍ  Ｓｔｒｅａｍ（以下ＰＳという）は、映像、音声毎に独立して構成される。尚、ＤＶＤ等の光ディスクに記録されるＰＳデータは、映像の場合１ピクチャ、音声の場合は１フレーム単位で分割されている。
【０００５】
こうして作成されたＰｒｏｇｒａｍ  Ｓｔｒｅａｍは、映像、音声毎に任意に分割され、２０４８バイト単位のパックにまとめられる。図３に、パックデータの構造を示す。映像データを格納されたパックデータをビデオパックと呼び、ビデオパックのデータは図３で示された何れかの形式を取ることが出来る。ＰＳデータは任意の大きさで分割され、Ｐａｃｋ＿ｈｅａｄｅｒ、又はＳｙｓｔｅｍ＿ｈｅａｄｅｒを付与して構成される。Ｐａｃｋ＿ｈｅａｄｅｒは、４バイト（０ｘ０００００１ＢＡのビット列）のＰａｃｋ＿ｓｔａｒｔ＿ｃｏｄｅ、６バイトのＳｙｓｔｅｍ＿ｃｌｏｃｋ＿ｒｅｆｅｒｅｎｃｅ（以下ＳＣＲという）、２２ビット（３バイトに拡張している）のＰｒｏｇｒａｍ＿ｍｕｘ＿ｒａｔｅ、５ビット（１バイトに拡張している）のＰａｃｋ＿ｓｔｕｆｆｉｎｇ＿ｌｅｎｇｔｈの１４バイトで構成されている。ＳＣＲは映像、音声データを再生する装置が基準クロックを参照するためのクロックを示し、Ｐｒｏｇｒａｍ＿ｍｕｘ＿ｒａｔｅは、最大ビットレートを示している。Ｓｙｓｔｅｍ＿ｈｅａｄｅｒは２４バイトの長さであって、映像、音声データを再生する装置のシステムに関する情報等が含まれている。Ｓｙｓｔｅｍ＿ｈｅａｄｅｒはビデオパックでしか存在しない。
【０００６】
図４に、Ｖｉｄｅｏ  Ｏｂｊｅｃｔ（以下、ＶＯＢという）の構成を示す。図３で示されたパックデータは、０．４秒〜１秒の範囲でＧＯＰ（Ｇｒｏｕｐ  ｏｆ  Ｐｉｃｔｕｒｅ）でまとめられて、ＲＤＩパックを先頭に付与し、Ｖｉｄｅｏ  Ｏｂｊｅｃｔ  Ｕｎｉｔ（以下ＶＯＢＵという）としてまとめられる。ＶＯＢＵは任意の単位でまとめられ、ＶＯＢとして構成される。
【０００７】
図５に、前記ＲＤＩパックの構成を示す。Ｐａｃｋ＿ｈｅａｄｅｒ、Ｓｙｓｔｅｍ＿ｈｅａｄｅｒ、ＰＥＳ＿ｈｅａｄｅｒ（ＰＴＳ等の時間情報は持たない）、ｓｕｂ＿ｓｔｒｅａｍ＿ｉｄは前記に示した通りである。これらに続き、Ｒｅａｌ＿ｔｉｍｅ＿ｄａｔａ＿ｉｎｆｏｒｍａｔｉｏｎ（以下ＲＤＩデータ）を持つ。ＲＤＩデータは、著作権関係等の再生情報が含まれている。
【０００８】
また、ＶＲ規格では、ＶＯＢＵ毎に、ＶＯＢＵのアドレス番号とその再生時間を示したＴＭＡＰというデータを作成することにより、ランダムアクセス性を高めている。
【０００９】
すなわち、ある任意の時間でのランダム再生を行いたい時、それに対応する時間をＴＭＡＰデータから検索し、そのデータに対応するＶＯＢＵの示すアドレスを再生することにより、高速なランダム再生や編集を可能とする。
【００１０】
一方、ハードディスク（以下ＨＤＤという）も、ＤＶＤ等の光ディスクと同様に、映像及び音声をデジタル蓄積する機器として普及している。特に、１９２０ピクセル×１１５２ピクセル等の高精度（以下ＨＤという）のデータを蓄積する場合には、ビットレートが２０〜７０Ｍｂｐｓになるため、従来の光ディスクでは、リアルタイムで蓄積することが保障できない問題がある。ＨＤ−ＤＶＤ等のようにＨＤデータを蓄積するための光ディスクの規格も制定されているが、容量や最大ビットレートではＨＤＤの方が大きな性能を持っている。
【００１１】
しかしながら、ＨＤＤは、ＡＶ用の光ディスクとは異なり、最低転送速度が保障されていない場合がある。
【００１２】
そこで、従来、ＨＤＤで最低保障を可能にし且つ大容量のＨＤＤにおけるランダムアクセス性能を保証するための方式として、特許文献１で記載された方式がある。
【００１３】
特許文献１で示された方式は、Ｄｉｓｋ  Ａｃｃｅｓｓ  Ｕｎｉｔ（以下ＤＡＵ）という物理フォーマットを考慮した論理フォーマットでＨＤデータをＨＤＤに記録する。また、ＨＤコンテンツとしてデジタル放送が普及しているが、特許文献１では、ＨＤコンテンツを記録再生するために、デジタル放送の映像音声データのフォーマットとして、ＩＳＯ／ＩＥＣ１３８１８−１で規定されたＭＰＥＧトランスポートストリームの形式で記録再生を行う。ＭＰＥＧトランスポートストリームは、図６にＤＡＵの構成を示す。
【００１４】
図６に示したＤＡＵは、チェーン情報、特殊再生用情報、ＰＳＩ情報、映像音声データで構成される。前記チェーン情報は、ＨＤＤにおける前後のＤＡＵの位置情報を示し、前のＤＡＵの位置情報、後のＤＡＵの位置情報、参照可能な後方ＤＡＵ数、参照可能な後方ＤＡＵの位置情報を示す。前記特殊再生用情報は、ピクチャの出現パターン、このＤＡＵに含まれるピクチャ毎の先頭データで算出されるピクチャ数、ＤＡＵ内のピクチャ情報を示す。ピクチャの出現パターンは、ＭＰＥＧ２で示されるＩピクチャ、Ｐピクチャ、Ｂピクチャの出現パターンを示す。ＤＡＵ内のピクチャ情報は、ピクチャの先頭位置、ピクチャの長さ、ピクチャの種類、ピクチャの数の積算値を示す。ＰＳＩ情報は、ＩＳＯ／ＩＥＣ１３８１８−１で定義されたＰＳＩ情報から映像、音声データ等のパケットを識別するための情報を含んでいる。映像、音声データはＭＰＥＧトランスポートで記録されるが、ＭＰＥＧトランスポートストリームは、前記ＰＳデータを任意に分割したデータにＩＳＯ／ＩＥＣ１３９１８０−１で定義されたトランスポートヘッダを付与して構成される。
【特許文献１】国際公開第０１／０７５８７８号パンフレット
【発明の開示】
【発明が解決しようとする課題】
【００１５】
図７は、デジタル放送などにおけるデータの送受信及び記録システムの全体構成を示す。
【００１６】
図７において、１０１は外部ＩＦ装置であって、ＩＥＥＥ１３９４等の外部機器を接続するためのインターフェースである。外部ＩＦ装置１０１は、外部機器との間でＭＰＥＧ  ｔｒａｎｓｐｏｒｔ  ｓｒｅａｍのデータを転送する。この外部ＩＦ装置１０１は、ＭＰＥＧトランスポートストリーム１０ａを記録装置１０３に送出し、再生装置１０２からＭＰＥＧトランスポートストリーム１０ｂを受信し、外部機器に対してデータを転送する。チューナー装置１０４は、デジタル放送のデータを受信し、記録装置１０３にＭＰＥＧとトランスポートストリーム１０ａを送出する。記録装置１０３は、ＭＰＥＧトランポートストリーム１０ａの各々のパケットが到着した時間を２７ＭＨｚのカウンタで示した値を４バイトのタイムスタンプにして、トランスポートストリームパケットの１８８バイトの先頭に付与し、１９２バイトのタイムスタンプ付パケット１０ｃを記録フォーマッタ装置１０５に送出する。記録フォーマッタ装置１０５は、図６に示したように、１９２バイトのタイムスタンプ付きパケットを集め、それにチェーン情報等のヘッダ情報を付与し、記録ＤＡＵデータ１０ｄをＩＦ装置１０７に送出する。ＩＦ装置１０７は、ＡＴＡ／ＡＴＡＰＩのインターフェースを具備し、記録ＤＡＵデータ１０ｄが入力されると、そのデータをＨＤＤ１０８に対して記録する。
【００１７】
再生を行う場合は、ＩＦ回路１０７は、ＨＤＤ１０８からＤＡＵのヘッダ情報を取り出し、そこに示されたチェーン情報から再生を行うＤＡＵのアドレスを決定する。ＩＦ装置１０７は、決定されたアドレスの示すＤＡＵをＨＤＤ１０８から取り出し、再生ＤＡＵデータ１０ｅを再生フォーマッタ装置１０６に送出する。再生フォーマッタ装置１０６は、再生ＤＡＵデータ１０ｅからヘッダ部分を削除し、４バイトのタイムスタンプと１８８バイトのＭＰＥＧトランスポートパケットの１９２バイトの単位とで構成されるタイムスタンプ付きパケット１０ｆを再生装置１０２に送出する。再生装置１０２は、入力された連続した２個のタイムスタンプ付きパケット１０ｆの４バイトのタイムスタンプデータを参照して、送信ＭＰＥＧトランスポートストリーム１０ｂを外部ＩＦ装置１０１又はデコード装置１０１０に送出する。デコード装置１０１０は、送信ＭＰＥＧトランスポートストリーム１０ｂのデコードを行い、再生画像１０ｇを生成して、モニタ１０１１に送出し、映像再生を行う。尚、ＨＤＤ１０８、光ディスク１０９は、各々、バッファ（キャッシュバッファ）１０１２、１０１３を具備し、ディスクのアクセスを高速化することが可能である。
【００１８】
ところで、前記に述べたシステムでは、デジタル放送等のＨＤデータは、ＨＤＤに記録しているが、ＨＤＤは有限の容量しか持たないため、光ディスク１０９にコピーや移動することが必要になる。その場合、ＨＤＤ１０８に記録されたＤＡＵデータはＩＦ装置１０７で読み出され、コピーＤＡＵ１０ｈを再度ＩＦ装置１０７に入力し、ＩＦ装置１０７は、光ディスク１０９にＤＡＵデータをコピーすることにより、ＨＤＤのコピーを構築することが可能である。しかし、ＤＡＵのデータフォーマットは、前記で述べたＤＶＤ規格のフォーマットよりも約１０倍もの長さを持つため、光ディスクに記録されたＤＡＵは映像、音声のデータとしてではなく、汎用データとして記録される。
【００１９】
しかしながら、ＤＡＵは、ＨＤＤへのアクセスを行う時に限り最低転送帯域を保障するものであるため、ＨＤＤへの記録と同じようにして光ディスク１０９に記録されたＤＡＵに対しては、その光ディスク１０９へのアクセス時に、そのアクセス単位長さがＤＶＤ規格のフォーマットと異なるために、ＨＤＤ１０８に記録されたＤＡＵと同様の転送帯域を保障することができない。そのため、光ディスク１０９に記録されたＤＡＵに対して、ＨＤＤと同様の画像の検索を行えず、特殊再生等の再生機能ができないという課題があった。
【００２０】
本発明の目的は、かかる問題に鑑みてなされてものであり、その目的は、ＨＤＤから光ディスクへコピーされたＤＡＵデータに対しても、ＨＤＤと同じようなアクセス性能を実現できる記録装置を提供することにある。
【課題を解決するための手段】
【００２１】
前記目的を達成するために、本発明では、再生時間が０．４秒から１．０秒になるような連続したＤＡＵをひとつにまとめ、それを再分割し、その再分割した各々を、ＤＶＤで使用されるパックフォーマットに当てはめると共に、ＤＡＵのチェーン情報から、ランダムアクセスを実現するためのＴＭＡＰ情報を生成することとする。
【００２２】
即ち、請求項１記載の発明の記録装置は、ＭＰＥＧトランスポートストリームで構成される映像音声データ、並びに、前記映像音声データの位置情報、種類及び記録ブロック間の位置関係を示す情報を具備した記録ブロックを蓄積する第１の蓄積媒体と、映像音声データを記録するためのフォーマットであって前記第１の蓄積媒体の記録フォーマットとは異なる記録フォーマットを持つ第２の蓄積媒体と、前記第１の蓄積媒体から連続した前記記録ブロックを読み出し、それらの読み出した複数の記録ブロックを１個にまとめる結合手段と、前記結合手段により１個にまとめられた複数の記録ブロックを前記第２の蓄積媒体の記録フォーマットに変換する変換手段と、前記第１の蓄積媒体に蓄積された映像音声データの位置情報、種類及び記録ブロック間の位置関係を示す情報を、前記第２の蓄積媒体の記録フォーマットに適した形で記述する記述手段とを備えたことを特徴とする。
【００２３】
請求項２記載の発明は、前記請求項１記載の記録装置において、前記第２の蓄積媒体の記録フォーマットは、ＤＶＤ  Ｓｐｅｃｉｆｉｃａｔｉｏｎｓ  ｆｏｒ  Ｒｅｗｒｉｔａｂｌｅ/Ｒｅ−ｒｅｃｏｒｄａｂｌｅ  Ｄｉｓｃｓのフォーマットであることを特徴とする。
【００２４】
請求項３記載の発明は、前記請求項１記載の記録装置において、前記記述手段は、前記第１の蓄積媒体の位置情報、種類及び前記記録ブロック間の位置関係を示す情報の位置を示す情報を、前記第２の蓄積媒体の記録フォーマットの記録単位の先頭に記述することを特徴とする。
【００２５】
請求項４記載の発明は、前記請求項１記載の記録装置において、前記結合手段は、前記第１の蓄積媒体から連続した前記記録ブロックを読み出し、その読み出した複数の記録ブロックを前記第２の蓄積媒体のフォーマットの処理単位と同一又は整数倍でまとめることを特徴とする。
【００２６】
請求項５記載の発明は、前記請求項１記載の記録装置において、前記結合手段は、前記第１の蓄積媒体の位置情報、種類及び前記記録ブロック間の位置関係を示す情報の位置を示す情報に基づいて、映像音声データの位置情報を抽出し、前記抽出された映像音声データの位置情報は、前記第２の蓄積媒体の記録フォーマットの記録単位の先頭パケットに格納されることを特徴とする。
【００２７】
請求項６記載の発明は、前記請求項５記載の記録装置において、先頭パケットは、ＤＶＤ  Ｓｐｅｃｉｆｉｃａｔｉｏｎｓ  ｆｏｒ  Ｒｅｗｒｉｔａｂｌｅ/Ｒｅ−ｒｅｃｏｒｄａｂｌｅ  ＤｉｓｃｓのＲＤＩパックに記録されることを特徴とする。
【００２８】
請求項７記載の発明は、前記請求項１記載の記録装置において、前記第２の蓄積媒体は、データの読み出し、書き込みのためのバッファを有し、前記結合手段は、前記バッファの容量の整数倍又は整数分の一になるようにデータをまとめ上げることを特徴とする。
【００２９】
請求項８記載の発明は、前記請求項１記載の記録装置において、前記第２の記録媒体の記録フォーマットでの処理単位の先頭データを、前記記録ブロックの先頭に位置させて、前記記録ブロックを構成する映像音声データが複数の記録ブロックにまたがって存在する頻度を減らす記録フォーマット手段を備えたことを特徴とする。
【００３０】
以上により、請求項１〜８記載の発明の記録装置では、映像、音声データのアクセス単位がＤＡＵからパック単位になるので、このようなパック単位の映像、音声データを記録したＤＶＤでは、通常のＤＶＤと同様の最低保障帯域を設定することが可能になると共に、ＨＤＤと同様の高速検索が可能になる。
【発明の効果】
【００３１】
以上説明したように、請求項１〜８記載の発明の記録装置によれば、ＨＤＤに記録された映像、音声データをＤＶＤに転送記録する場合に、その映像、音声データが転送記録されたＤＶＤにおいても、ＤＶＤにおける最低転送帯域の保障と、ＨＤＤ並みの高速検索との双方を可能にできる効果を奏する。
【発明を実施するための最良の形態】
【００３２】
以下、本発明に係る記録装置の実施形態について説明する。
【００３３】
（第１の実施形態）
図１は、本発明の第１の実施形態である記録装置。
【００３４】
第１の実施形態は、図７の装置に変換装置１０１４を付与したものである。ＨＤＤ（第１の蓄積媒体）１０８から読み出されたＤＡＵデータは、ＩＦ装置１０７から再生ＤＡＵデータ１０ｅとして出力され、変換装置１０１４で光ディスク（第２の蓄積媒体）１０９に適したＤＶＤフォーマットを使ったＤＡＵデータに変換され、変換データ１０１ｉをＩＦ装置１０７に出力する。ＩＦ装置１０７は光ディスク１０９に変換データを書き込む。逆に、光ディスク１０９から読み出されたＤＶＤ形式のＤＡＵデータは、再生ＤＡＵデータ１０ｅとして変換装置１０１４に出力され、変換装置１０１４でＨＤＤ形式のＤＡＵデータに戻されて、変換データ１０１ｉとして出力される。
【００３５】
図８は、前記変換装置１０１４の具体的な構成を示している。同図の変換装置１０１４において、８１は選択信号であって、ＨＤＤ１０８から光ディスク１０９へ出力されるときは、ＲＤＩ挿入回路８４の出力が選択され、光ディスク１０９からＨＤＤ１０８にダビングされるときは、ヘッダ削除回路８６から出力される。ＨＤＤ１０８から光ディスク１０９にダビングされる時は、ＤＡＵ再生データ１０ｅはＤＡＵ結合／ＴＭＡＰ生成回路８２により複数のＤＡＵがＰａｃｋｉｎｇ（結合）されて、ＴＭＡＰ情報が生成される。ＰａｃｋｉｎｇされたＤＡＵデータはヘッダ付与回路８３で分割とＤＶＤのヘッダコードを付与され、ＶＯＢＵ（光ディスク１０９の記録フォーマットの処理単位及び記録単位）の先頭にＲＤＩパックを付与されて、変換データ１０１ｉとして出力される。光ディスク１０９からＨＤＤ１０８にダビングされる時は、ＲＤＩ削除回路８５でＶＯＢＵ先頭のＲＤＩパックが削除され、その次に、ヘッダ削除回路８６でＤＶＤのヘッダコードを削除し、ＨＤＤのＤＡＵの形式にして、変換データ１０ｉを出力する。
【００３６】
図９は、ＤＡＵ結合／ＴＭＡＰ生成回路（結合手段及び記述手段）８２の具体的な動作を示すフローチャートを示している。同図のＤＡＵ結合／ＴＭＡＰ生成回路８２は、最初にステップＳ１でＤＡＵ中の特殊再生情報のピクチャ出現パターンを参照する。このフィールドには、ＤＡＵ中に含まれるピクチャがＩ、Ｐ、Ｂのどのピクチャであるかがピクチャ毎に示されている。ＤＶＤのＶＯＢＵは編集単位であると考えると、１ＧＯＰ単位である方が良い。よって、ステップＳ２では、ピクチャ出現パターンのＩピクチャの上を検索する。もし、そのＤＡＵにＩピクチャがない場合は、ステップＳ１に戻って、次のＤＡＵを検索する。Ｉピクチャが見つかった時点で、ステップＳ３で複数個のＤＡＵ（記録ブロック）をまとめるｐａｃｋｉｎｇが開始される。このｐａｃｋｉｎｇ（結合）中において、ステップＳ４でＤＡＵ中のチェーン情報（１枚のピクチャが複数のＤＡＵにまたがって存在しているかどうかを示す情報）をサーチし、次のＤＡＵの場所をサーチし、ステップＳ５でそのＤＡＵの特殊再生パターンを参照する。ステップＳ６で１５ピクチャのフレームをｐａｃｋｉｎｇするまでｐａｃｋｉｎｇを継続し、１５フレームをｐａｃｋｉｎｇすると、先頭のパックの特殊再生情報から再生時刻を計算し、先頭ＤＡＵのあるアドレス（位置情報）、再生時刻及びチェーン情報（記録ブロック間の位置情報を示す情報）などを光ディスク１０９の記録フォーマットに適した形のＴＭＡＰ情報として生成、記述し、このＴＭＡＰ情報をＶＯＢＵ（光ディスク１０９の記録フォーマットの記録単位）の先頭のパックに格納し、その後、ステップＳ７でｐａｃｋｉｎｇを終了する。
【００３７】
尚、本実施形態では、１５フレームをｐａｃｋｉｎｇしているが、これは０．４秒以上１秒以下の再生時間を持つコンテンツであれば、１５フレームである必要はない。
【００３８】
図１０は、前記図８に示したヘッダ付与回路（変換手段）８３の動作を示している。同図において、パックされた複数のＤＡＵは、ＤＡＵ単位毎に、光ディスク１０９の記録フォーマットであるＤＶＤのパックに変換される。１ＤＡＵは１０３２個のパックに分割される。具体的には、ＤＡＵの先頭から２０３４バイト毎に切り出されて、１４バイトのＰａｃｋ  ｈｅａｄｅｒを付与される１０３１個のパケットと、ＤＡＵの最後の９８バイトの位置において前に１４バイトのｐａｃｋ  ｈｅａｄｅｒと１９３６バイトのｓｔｕｆｆｉｎｇデータ（例えばＡＬＬ  １又はＡＬＬ  ０）とを有する１個のパケットとに分割される。前記Ｐａｃｋ  ｈｅａｄｅｒは、Ｐａｃｋ＿ｓｔａｒｔ＿ｃｏｄｅの０ｘ０００００１ＢＡを付与する。６バイトのＳＣＲ（Ｓｙｓｔｅｍ  Ｃｌｏｃｋ  Ｒｅｆｅｒｅｎｃｅ）とＰａｃｋ＿ｓｔｕｆｆｉｎｇ＿ｌｅｎｇｔｈは任意の値を設定する。Ｐｒｏｇｒａｍ＿ｍｕｘ＿ｒａｔｅはコンテンツの最大ビットレートを記述する。
【００３９】
こうして、パック化されたＤＡＵから特定のピクチャを検索する方法を図１１を使って説明する。ＤＶＤのアクセスと同じように最初にＴＭＡＰにアクセスを行う。再生したい時間の一番最近の再生時間をＴＭＡＰから検索し、そのアドレスが示すパックをアクセスする。このパックには、必ずＩピクチャとそのチェーン情報が記されている。従来のＤＶＤであれば、ここから更に詳しい位置情報を知るためには、ＶＯＢＵの全てをサーチする必要があるが、ＤＡＵのチェーン情報と特殊再生情報とがあるので、そこから更に別のＤＡＵのチェーン情報に飛ぶことにより、従来のＤＶＤよりも高速の検索が可能になる。またＤＶＤのＶＯＢＵ単位で処理を行っているので、ＤＶＤドライブにおいても、最低転送帯域を保障することが可能になる。
【００４０】
このように、ＨＤＤのＤＡＵフォーマットをＤＶＤのＶＯＢＵ形式にＤＡＵの形を残したまま変換することにより、ＤＶＤにおける最低転送帯域の保障と、ＨＤＤ並みの高速検索とがＤＶＤにおいても可能になる。
【００４１】
（第２の実施形態）
次に、本発明の第２の実施形態について説明する。
【００４２】
図４に示したＲＤＩパックは、その中にＭＮＦ（ｍａｎｉｆａｃｔｕｒｅ  ｉｎｆｏｒｍａｔｉｏｎ）と呼ばれるユーザー領域を持つ。本実施形態では、このＭＮＦにＶＯＢＵ中の全ての検索アドレスを記録することにより、前記第１の実施形態よりも高速な検索を可能とするものである。
【００４３】
本実施形態のシステムの全体構成は、前記第１の実施形態と同様である。本実施形態では、変換装置１０１４の内部構成が第１の実施形態と異なる。本実施形態において、図１２に示したＤＡＵ結合／ＴＭＡＰ生成回路８２は、ＲＤＩ情報１２１と呼ばれる情報をＲＤＩ挿入回路１２２に送付する。ＲＤＩ挿入回路１２２は、ＲＤＩ情報１２１をＲＤＩパックのＭＮＦに格納し、挿入する。図１４はＲＤＩ情報の構成例を示す。ＲＤＩ情報１２１は、Ｉ、Ｐ、Ｂのどのピクチャであるかを示す１バイトのデータと、ピクチャの所属するパックの位置を示す５バイトの情報と、パック内のどの位置にピクチャがあるのかを示すピクチャの先頭位置を決めるデータが２バイトであるデータとを含むことを示している。
【００４４】
図１３は、本実施形態におけるＤＡＵ結合／ＭＡＰ生成回路８２の詳細を示している。本実施形態では、前記第１の実施形態の構成に加えて、チェーン情報や特殊再生情報などに基づいてピクチャの位置情報（映像音声データの位置情報）を抽出し、抽出したピクチャ毎にＲＤＩ情報を生成するステップＳ８を設け、ピクチャを検出する毎にＲＤＩ情報１２１を出力する機能を持っている。  
【００４５】
従って、本実施形態では、ＶＯＢＵ内の全てのピクチャの位置情報が、光ディスク１０９の記録フォーマットの記録単位であるＶＯＢＵの先頭パケットであるＲＤＩパックに集約されるので、前記第１の実施形態に比べて、検索にかかる時間が短縮されて、前記第１の実施形態よりもより高速な検索が可能になる。
【００４６】
（第３の実施形態）
続いて、本発明の第３の実施形態について説明する。
【００４７】
本実施形態の全体構成は、前記第１の実施形態と同様である。異なる点は、変換装置１０１４中のＤＡＵ結合／ＭＡＰ生成回路８２の構成である。
【００４８】
前記第１及び第２の実施形態では、ＶＯＢＵの大きさは、０．４秒以上の長さを持つＧＯＰ単位で処理を行っていたが、光ディスク１０９は内部にキャッシュバッファ１０１３を持っており、ＶＯＢＵの大きさがキャッシュバッファ１０１３の整数倍又は整数分の大きさに近ければ近いほど、光ディスクの読み出し、書き込み効率は向上する。
【００４９】
そこで、本実施形態では、ＤＡＵ結合／ＭＡＰ生成回路８２は、図１５に示すように、Ｉピクチャの先頭に合わせず、ステップＳ３でＰａｃｋｉｎｇを開始し、キャッシュサイズの大きさに近くなるようにＶＯＢＵの大きさを調整する。具体的には、ステップＳ９で０．４秒以上のピクチャを検出した時点で、Ｐａｃｋｉｎｇしたデータの大きさがキャッシュバッファ１０１３に近いかどうかをステップＳ１０で判定する。このステップＳ１０では、ＡをＢで割ったときの剰余をＣとし、Ｃ＝Ｍｏｄ（Ａ，Ｂ）と定義すると、
Ｋ＝（（ｐａｃｋ＿ｓｉｚｅ−Ｍｏｄ（ｐａｃｋ＿ｓｉｚｅ、２０３４）／２０３４＋１４）＊２０４８＋Ｍｏｄ（ｐａｃｋ＿ｓｉｚｅ、２０３４）＋１４
で示されるＫ値を計算し、このＫ値がステップＳ１１でキャッシュバッファ１０１３のサイズの整数倍、又は整数分よりも、４０９６バイト（２パック分）を超えていると判断される場合は、ステップＳ７でｐａｃｋｉｎｇを終了するようにする。ｐａｃｋｉｎｇ終了後、ＲＤＩパックが付与されるので、出来上がるＶＯＢは、キャッシュバッファ１０１３最も適した数になる。尚、キャッシュバッファのどの整数倍にすれば良いかについては、接続する光ディスクの特性に合わせて変更すれば良い。
【００５０】
この構成でｐａｃｋｉｎｇを行うことにより、本実施形態では、光ディスク１０９自身の特性に合わせたｒｅａｄ／ｗｒｉｔｅが行われるので、より一層に高速なアクセスが可能である。
【００５１】
（第４の実施形態）
次に、本発明の第４の実施形態の記録装置について説明する。
【００５２】
以上の説明では、ＧＯＰ単位でピクチャを切れるように設定したが、ＤＡＵに跨ってピクチャが存在する場合には、ＧＯＰ単位でＶＯＢＵが構成できないときが存在する。
【００５３】
この問題に対処する本実施形態を図１６に示す。図１６では、前記第１の実施形態における記録フォーマッタ装置において、ＩピクチャやＧＯＰヘッダ（光ディスク１０９の記録フォーマットの処理単位の先頭データ）が必ずＤＡＵの先頭になるようにアライメントする記録フォーマッタ装置（記録フォーマット手段）１６１を持っている。記録フォーマッタ装置１６１の生成するＤＡＵ構成を図１７に示す。同図（ａ）において、ＩピクチャがＤＡＵの境界面に存在する場合には、同図（ｂ）に示すように、前方のＤＡＵにダミーのピクチャを挿入し、Ｉピクチャが必ずＤＡＵの先頭に来るように調整する。ダミーピクチャはｕｎｋｎｏｗｎタイプのピクチャとすることにより、他の処理への影響をなくす。
【００５４】
本実施形態では、この方式により、ＤＡＵに跨ってピクチャが存在する場合においても、ＶＯＢＵに確実に変換を行うことが可能になる。
【００５５】
尚、以上の説明では、ＤＶＤ−Ｖｉｄｅｏ形式でも同様に取り扱うことが可能であるのは勿論である。
【産業上の利用可能性】
【００５６】
以上説明したように、本発明の記録装置は、ＨＤＤのＤＡＵフォーマットをＤＶＤのＶＯＢＵ形式にＤＡＵの形を残したまま変換したので、ＤＶＤにおいても、ＤＶＤにおける最低転送帯域の保障と、ＨＤＤ並みの高速検索との双方を可能にできる記録装置等として有用である。
【図面の簡単な説明】
【００５７】
【図１】本発明の第１の実施形態の記録装置の全体構成を示す図である。
【図２】Ｐｒｏｇｒａｍ  Ｓｔｒｅａｍの構造を示す図である。
【図３】パックデータの構造を示す図である。
【図４】ＶＯＢの構造を示す図である。
【図５】ＲＤＩパックの構成を示す図である。
【図６】ＤＡＵの構成を示す図である。
【図７】本発明の従来の記録装置の全体構成を示す図である。
【図８】本発明の第１の実施形態の記録装置に備える変換装置の構成を示す図である。
【図９】同変換装置に備えるＤＡＵ再生データ１０ｅのＤＡＵ結合／ＴＭＡＰ生成回路の構成を示す図である。
【図１０】同変換装置に備えるヘッダ付与回路を示す図である。
【図１１】パック化されたＤＡＵから特定のピクチャを再生する方法を示す図である。
【図１２】本発明の第２の実施形態の記録装置に備える変換装置の構成を示す図である。
【図１３】同変換装置に備えるＤＡＵ結合／ＴＭＡＰ生成回路の構成を示す図である。
【図１４】ＲＤＩ情報を示す図である。
【図１５】本発明の第３の実施形態の記録装置の変換装置に備えるＤＡＵ結合／ＴＭＡＰ生成回路の構成を示す図である。
【図１６】本発明の第４の実施形態の記録装置の全体構成を示す図である。
【図１７】（ａ）はＩピクチャがＤＡＵの境界面に存在する場合を示す図、同図（ｂ）は本発明の第４の実施形態でのＤＡＵの構成を示す図である。
【符号の説明】
【００５８】
１０１        外部ＩＦ装置
１０２        再生装置
１０３        記録装置
１０４        チューナー装置
１０５        記録フォーマッタ装置
１０６        再生フォーマッタ装置
１０７        ＩＦ装置
１０８        ＨＤＤ（第１の蓄積媒体）
１０９        光ディスク（第２の蓄積媒体）
１０１０        デコード装置
１０１１        モニタ
１０１２        バッファ（キャッシュバッファ）
１０１３        キャッシュバッファ
１０１４        変換装置
１０ａ        受信ＭＰＥＧトランスポートストリーム
１０ｂ        送信ＭＰＥＧトランスポートストリーム
１０ｃ        タイムスタンプ付きパケット
１０ｄ        記録ＤＡＵデータ
１０ｅ        再生ＤＡＵデータ
１０ｆ        タイムスタンプ付きパケット
１０ｇ        再生画像
１０ｉ        変換パックデータ
８１        変換方向
１０ｈ        コピーＤＡＵ
１０１ｉ        変換データ
８１        選択信号
８２        ＤＡＵ結合／ＭＡＰ生成回路（結合手段及び記述手段）
８３        ヘッダ付与回路（変換手段）
８４        ＲＤＩ挿入回路
８５        ＲＤＩ削除回路
８６        ヘッダ削除回路
１２１        ＲＤＩ情報
１２２        ＤＡＵ結合／ＴＭＡＰ生成回路
１６１        記録フォーマッタ装置（記録フォーマット手段）
【図１】
2007329861.tif 000003
【図２】
2007329861.tif 000004
【図３】
2007329861.tif 000005
【図４】
2007329861.tif 000006
【図５】
2007329861.tif 000007
【図６】
2007329861.tif 000008
【図７】
2007329861.tif 000009
【図８】
2007329861.tif 000010
【図９】
2007329861.tif 000011
【図１０】
2007329861.tif 000012
【図１１】
2007329861.tif 000013
【図１２】
2007329861.tif 000014
【図１３】
2007329861.tif 000015
【図１４】
2007329861.tif 000016
【図１５】
2007329861.tif 000017
【図１６】
2007329861.tif 000018
【図１７】
2007329861.tif 000019